(57)【要約】      （修正有）【課題】レセプタクルコネクタ、および電気コネクタアセンブリによって、端子をハウジング上にしっかりと安定して確実に取り付け、複数の電気コンタクト部分を端子に形成して、端子と相手側端子との間の電流伝送容量を増加させることを提供する。【解決手段】ハウジング２は、略矩形の底部と、底部の周囲から延びることによって形成されるループフレームとを備え、プラグコネクタを受容する受容部２５を画定する。端子は、下向き開口部を有する第１のＵ字形部分と、２つの伸長アーム１２とを備え第１のＵ字形部分は、ループフレームの横フレームを覆うとともに、横方向に延びるベース１１と、ベース１１に対向する第１の横アームとを備える。２つの伸長アームは、ベースの横方向両端部で第１の横アームに対してほぼ垂直に曲がることによって形成され、ループフレームの縦フレームの外側にそれぞれ載置される。【選択図】図１
2015207557.tif 000002
【特許請求の範囲】
【請求項１】
下向き開口部を有し、横方向に延びるベース、および前記ベースに対向する第１の横アームを備える第１のＵ字形部分と、
前記ベースの横方向両端部で前記第１の横アームに向けてほぼ垂直に曲がることによって形成される２つの伸長アームとを備える、レセプタクルコネクタ用の端子。
【請求項２】
下向き開口部を有する第２のＵ字形部分が、各伸長アームの上側で曲がることによって形成される、請求項１に記載の端子。
【請求項３】
前記第１の横アームを外方に曲げることによって形成され、上向き開口部を有する第３のＵ字形部分をさらに備える、請求項２に記載の端子。
【請求項４】
前記ベースが係合部を備え、前記係合部が、前記第１のＵ字形部分の各横方向端部と各伸長アームとの間で内方に曲がり、下方に延びることによって形成される、請求項１に記載の端子。
【請求項５】
少なくとも１つの弾性突起が前記係合部に形成される、請求項４に記載の端子。
【請求項６】
平面コンタクト部分が、前記第１の横アームと反対の前記ベースの下側で外方に曲がることによって形成される、請求項１に記載の端子。
【請求項７】
回路基板に取り付けられるレセプタクルコネクタであって、
前記レセプタクルコネクタは、
略矩形の底部と、前記底部の周囲から延びることによって形成され、プラグコネクタを受容するための受容部を画定するように構築されるループフレームとを備えるハウジングと、
少なくとも１つの端子とを備えており、
前記端子のそれぞれは、
下向き開口部を有し、かつ前記ループフレームの横フレームを覆う第１のＵ字形部分であって、横方向に延びるベース、および前記ベースに対向する第１の横アームを備える第１のＵ字形部分と、
前記ベースの横方向両端部で前記第１の横アームに向けてほぼ垂直に曲がることによって形成され、前記ループフレームの縦フレームの外側にそれぞれ載置される２つの伸長アームと、を備える、レセプタクルコネクタ。
【請求項８】
下向き開口部を有する第２のＵ字形部分が、各伸長アームの上側で曲がることによって形成され、前記ループフレームの縦フレームを覆うように構築され、
第１のコンタクト部分が、２つの第１の縦アームにおける対向する側のそれぞれに形成されており、前記２つの第１の縦アームは前記第２のＵ字形部分における前記伸長アームの内側に位置する、請求項７に記載のレセプタクルコネクタ。
【請求項９】
前記端子が第３のＵ字形部分をさらに備えており、
前記第３のＵ字形部分は前記第１の横アームを外方に曲げることによって形成され、かつ上向き開口部を有する、請求項７に記載のレセプタクルコネクタ。
【請求項１０】
前記第３のＵ字形部分が、前記第１の横アームと、前記第１の横アームの内側に位置決めされた第２の横アームとを備え、
第２のコンタクト部分が、前記第１の横アームおよび前記第２の横アームの２つの対向する側の各々に形成される、請求項９に記載のレセプタクルコネクタ。
【請求項１１】
前記第２の横アームの自由端が、外方に延びる舌部の形に形成される、請求項１０に記載のレセプタクルコネクタ。
【請求項１２】
前記ハウジングの前記底部の中央に配置されたボスをさらに備え、
前記ボスの周囲と前記ループフレームの内側との間に間隙が形成される、請求項１１に記載のレセプタクルコネクタ。
【請求項１３】
制限溝が前記ボスの縦方向両端部の各々に形成され、
前記舌部が前記制限溝内に摺動可能に配置される、請求項１２に記載のレセプタクルコネクタ。
【請求項１４】
前記ベースが係合部を備え、
前記係合部は、前記第１のＵ字形部分の各横方向端部と各伸長アームとの間で下方に曲がって延びることによって形成され、
前記係合部を受けるための係合溝が前記横フレームに形成される、請求項７に記載のレセプタクルコネクタ。
【請求項１５】
複数の制限フックが前記ループフレームの縦フレームの外側に形成され、各伸長アームの一部が前記縦フレームの外側で前記制限フック内に延びて、前記伸長アームが外方にずれることを防止する、請求項７に記載のレセプタクルコネクタ。
【請求項１６】
前記ベースの下側および前記２つの伸長アームが、前記底部の下面からせり出して、前記回路基板に溶接するための溶接部分を形成する、請求項７に記載のレセプタクルコネクタ。
【請求項１７】
請求項７に記載のレセプタクルコネクタと、
前記レセプタクルコネクタに嵌合するプラグコネクタとを備え、前記プラグコネクタが、前記レセプタクルコネクタの前記端子に嵌合する相手側端子を備える、電気コネクタアセンブリ。
【請求項１８】
前記プラグコネクタが、相手側ハウジングと、相手側端子とを備え、
前記相手側ハウジングは、略矩形の相手側底部、および前記相手側底部の周囲から上方に延びることによって形成される相手側ループフレームを有し、
前記相手側端子は、前記相手側ループフレームの相手側横フレームを覆うための第４のＵ字形部分を有しており、
前記プラグコネクタが前記レセプタクルコネクタの受容部に挿入され、
前記横フレームの内側に位置する前記第１のＵ字形部分における第１の横アームが、前記相手側横フレームの外側に位置する前記第４のＵ字形部分における第１の相手側横アームに電気的に接触し続ける、請求項１７に記載の電気コネクタアセンブリ。
【請求項１９】
下向き開口部を有する第２のＵ字形部分が、各伸長アームの上側で曲がることによって形成され、前記ループフレームの縦フレームを覆うように構築され、
前記相手側端子が２つの相手側伸長アームをさらに備えており、
前記２つの相手側伸長アームは、前記相手側ループフレームの相手側縦フレームの外側に載置されており、
前記２つの相手側伸長アームが、前記伸長アームの内側にそれぞれ位置する２つの第１の縦アームに電気的に接触し続ける、請求項１８に記載の電気コネクタアセンブリ。
【請求項２０】
第３のＵ字形部分をさらに備え、当該第３のＵ字形部分は前記第１の横アームを外方に曲げることによって形成され、かつ上向き開口部を有し、
前記第４のＵ字形部分が前記第３のＵ字形部分に受容され、
前記相手側横フレームの内側に位置する前記第４のＵ字形部分における第２の相手側横アームが、前記第３のＵ字形部分における第２の横アームに電気的に接触する、請求項１８に記載の電気コネクタアセンブリ。
【発明の詳細な説明】
【技術分野】
【０００１】
関連出願の相互参照
本出願は、２０１４年４月１７日に中国国家知識産権局に提出された中国特許出願第２０１４１０１５４２１９．７号の利益を主張する。当該中国特許出願の開示全体が、参照により本明細書に組み込まれている、
【０００２】
本発明の実施形態は、電気コネクタ、特に、回路基板を相手側回路基板に接続するための電気コネクタの端子やその電気コネクタ、および当該電気コネクタを有する電気コネクタアセンブリに関する。
【背景技術】
【０００３】
携帯電話、プリンタ、デジタルカメラ、カメラ、ＧＰＳデバイス、タブレットコンピュータ、パーソナルコンピュータ等の電子装置において、操作を容易にするため、２つのプリント回路基板（ＰＣＢ）を電気的に接続して電力信号およびデータ信号が２つの回路基板間で伝送されるようにするのに、基板対基板コネクタ（board-to-board connector）が一般に必要とされる。
【発明の概要】
【発明が解決しようとする課題】
【０００４】
このような電気コネクタにより伝送される電流は、一般に比較的小さく、一般的に約２Ａ（アンペア）であるため、開発が進むモバイル通信機器の伝送要件をもはや満たしていない。
【課題を解決するための手段】
【０００５】
上記およびその他の問題を解決するために、本発明の実施形態は、レセプタクルコネクタのハウジング上にしっかりと位置決め可能な端子、その端子を備えるレセプタクルコネクタ、および当該レセプタクルコネクタを備える電気コネクタアセンブリを提供する。    本発明の実施形態は、端子、レセプタクルコネクタ、および電気コネクタアセンブリをさらに提供し、電流伝送容量を増加させることができる。
【０００６】
本発明の実施形態の態様によれば、レセプタクルコネクタのための端子は、下向き開口部を有する第１のＵ字形部分と、２つの伸長アームとを備える。第１のＵ字形部分は、横方向に延びるベースと、ベースに対向する第１の横アームとを備える。２つの伸長アームは、ベースの横方向両端部で第１の横アームに向けてほぼ垂直に曲がることによって形成される。
【０００７】
本発明の実施形態によれば、下向き開口部を有する第２のＵ字形部分が、各伸長アームの上側で曲がることによって形成される。
【０００８】
本発明の実施形態によれば、端子は、第１の横アームを外方に曲げることによって形成され、上向き開口部を有する第３のＵ字形部分をさらに備える。
【０００９】
本発明の実施形態によれば、ベースは係合部を備える。この係合部は、第１のＵ字形部分の各横方向端部と各伸長アームとの間で内方に曲がり、下方に延びることによって形成される。
【００１０】
本発明の実施形態によれば、少なくとも１つの弾性突起が係合部に形成される。
【００１１】
本発明の実施形態によれば、平面コンタクト部分が、第１の横アームと反対のベースの下側で外方に曲がることによって形成される。
【００１２】
本発明のさらなる実施形態によれば、回路基板に取り付けられるレセプタクルコネクタが提供される。レセプタクルコネクタは、ハウジングと、少なくとも１つの端子とを備える。ハウジングは、略矩形の底部と、ループフレームとを備える。このループフレームは、底部の周囲から延びることによって形成され、プラグコネクタを受容するための受容部を画定するように構築される。
端子は、下向き開口部を有する第１のＵ字形部分と、２つの伸長アームとを備える。第１のＵ字形部分は、ループフレームの横フレームを覆うように構築され、横方向に延びるベースと、ベースに対向する第１の横アームとを備える。２つの伸長アームは、ベースの横方向両端部で第１の横アームに向けてほぼ垂直に曲がることによって形成され、ループフレームの縦フレームの外側にそれぞれ載置される。
【００１３】
本発明の実施形態によれば、下向き開口部を有する第２のＵ字形部分が、各伸長アームの上側で曲がることによって形成され、ループフレームの縦フレームを覆うように構築される。第１のコンタクト部分は、第２のＵ字形部分における伸長アーム内側に位置する、２つの第１の縦アームの対向する側の各々に形成される。
【００１４】
本発明の実施形態によれば、端子が、第３のＵ字形部分をさらに備える。この第３のＵ字形部分は、第１の横アームを外方に曲げることによって形成され、上向き開口部を有する。
【００１５】
本発明の実施形態によれば、第３のＵ字形部分が、第１の横アームと、第１の横アームの内側に位置決めされた第２の横アームとを備える。第２のコンタクト部分が、第１の横アームおよび第２の横アームにおける２つの対向する側の各々に形成される。
【００１６】
本発明の実施形態によれば、第２の横アームの自由端が、外方に延びる舌部に形成される。
【００１７】
本発明の実施形態によれば、レセプタクルコネクタは、ハウジング底部の中心に配置されたボスをさらに備える。ボスの周囲とループフレームの内側との間には、間隙が形成される。
【００１８】
本発明の実施形態によれば、制限溝（restricting groove）がボスの縦方向両端部の各々に形成され、舌部が制限溝内に摺動可能に配置される。
【００１９】
本発明の実施形態によれば、ベースが係合部を備える。この係合部は、第１のＵ字形部分の各端部と各伸長アームとの間で下方に曲がって延びることによって形成される。係合部を受けるための係合溝は、横フレームに形成される。
【００２０】
本発明の実施形態によれば、突起が係合部に形成される。
【００２１】
本発明の実施形態によれば、複数の制限フック（restricting hook）がループフレームの縦フレーム外側に形成される。各伸長アームの一部は縦フレームの外側で制限フック内に延びて、伸長アームが外方にずれることを防止する。
【００２２】
本発明の実施形態によれば、ベースの下側および２つの伸長アームが、底部の下面からせり出して、回路基板に溶接するための溶接部分を形成する。
【００２３】
本発明の実施形態によれば、ベースの下側が外方に曲げられて平面コンタクト部分を形成する。
【００２４】
本発明の実施形態によれば、端子が、電力信号を伝送する電力端子である。
【００２５】
本発明のさらなる実施形態によれば、電気コネクタアセンブリが提供される。電気コネクタアセンブリは、上記の種々の実施形態の１つによるレセプタクルコネクタと、レセプタクルコネクタに嵌合するプラグコネクタとを備える。このプラグコネクタは、レセプタクルコネクタの端子に嵌合する相手側端子を備える。
【００２６】
本発明の実施形態によれば、プラグコネクタは、相手側ハウジングと、相手側端子とを備える。相手側ハウジングは、略矩形の相手側底部、および相手側底部の周囲から上方に延びることによって形成される相手側ループフレームを備える。相手側端子は、相手側ループフレームの相手側横フレームを覆うための第４のＵ字形部分を備える。上記のプラグコネクタは、レセプタクルコネクタの受容部に挿入される。また、横フレームの内側に位置する第１のＵ字形部分における第１の横アームは、相手側横フレームの外側に位置する第４のＵ字形部分における第１の相手側横アームに電気的に接触する。
【００２７】
本発明の実施形態によれば、下向き開口部を有する第２のＵ字形部分が、各伸長アームの上側で曲がることによって形成され、ループフレームの縦フレームを覆う。相手側端子は、相手側ループフレームの相手側縦フレームの外側に載置された、２つの相手側伸長アームをさらに備える。この２つの相手側伸長アームは、伸長アームの内側にそれぞれ位置する２つの第１の縦アームと電気的に接触する。
【００２８】
本発明の実施形態によれば、電気コネクタアセンブリは、第３のＵ字形部分をさらに備える。この第３のＵ字形部分は、第１の横アームを外方に曲げることによって形成され、上向き開口部を有する。第４のＵ字形部分は、第３のＵ字形部分に受容され、相手側横フレームの内側に位置する第４のＵ字形部分における第２の相手側横アームが、第３のＵ字形部分における第２の横アームと電気的に接触する。
【００２９】
本発明の上記した種々の実施形態による電力端子、レセプタクルコネクタ、および電気コネクタアセンブリによって、端子をハウジング上にしっかりと安定して確実に取り付けることができる。また、複数の電気コンタクト部分を端子に形成して、端子と相手側端子との間の電流伝送容量を増加させることができる。
【００３０】
以下の添付図面および詳細な実施形態を参照しながら本発明をさらに説明することにより、本発明の目的、特徴および利点がさらに明らかになろう。
【図面の簡単な説明】
【００３１】
【図１】本発明の実施形態によるレセプタクルコネクタを示す概略斜視図である。
【図２】反転状態にある図１のレセプタクルコネクタを示す概略斜視図である。
【図３】本発明の実施形態による図１のレセプタクルコネクタと嵌合するプラグコネクタを示す概略斜視図である。
【図４】反転状態にある図３のプラグコネクタを示す概略斜視図である。
【図５】１つの端子を取り外した後の、図１のレセプタクルコネクタを示す概略斜視図である。
【図６】１つの端子を取り外した後の、図２のレセプタクルコネクタを示す概略斜視図である。
【図７】１つの相手側端子を取り外した後の、図３のプラグコネクタを示す概略斜視図である。
【図８】１つの相手側端子を取り外した後の、図４のプラグコネクタを示す概略斜視図である。
【図９】本発明の実施形態による相手側端子を示す概略斜視図である。
【図１０】本発明の実施形態による端子を示す概略斜視図である。
【図１１】図９の相手側端子を示す別の概略斜視図である。
【図１２】図１０の端子を示す別の概略斜視図である。
【図１３】本発明による相手側端子に係合された端子を示す概略斜視図である。
【図１４】本発明による相手側端子に係合された端子を示す別の概略斜視図である。
【図１５】底部から見た、本発明による相手側端子に係合された端子を示す概略斜視図である。
【発明を実施するための形態】
【００３２】
本発明の完全な理解をもたらすために、添付図面を参照しながら本発明の好ましい実施形態について説明するが、当業者は本明細書に記載された本発明を修正して、本発明の効果を得ることができることを理解されたい。したがって、上記説明は当業者のためのより広範囲の開示であり、その内容は本発明の実施形態に限定されないことに留意されたい。
【００３３】
以下の詳細な説明において、開示された実施形態の完全な理解をもたらすために、説明の目的で多くの具体的詳細が述べられる。しかしながら、これらの具体的詳細なしで、１つまたは複数の実施形態を実施してもよいことが明らかであろう。他の例では、図を簡略化するために、周知の構造およびデバイスが概略的に示される。
【００３４】
図１に示すように、本発明の実施形態による電気コネクタアセンブリは、携帯電話、プリンタ、デジタルカメラ、カメラ、ＧＰＳデバイス、タブレットコンピュータ、パーソナルコンピュータ等の電子装置に適用され得る。電気コネクタアセンブリは、回路基板を相手側回路基板に電気的に接続するように構成され、基板対基板コネクタと呼ばれる。電気コネクタアセンブリは、２つの回路基板にそれぞれ取り付けられたレセプタクルコネクタ１００およびプラグコネクタ２００を備える。これらのコネクタ１００，２００を使用して、プリント回路基板（ＰＣＢ）等の２つの回路基板を電気的に接続し、２つの回路基板間で電力信号およびデータ信号を伝送する。
【００３５】
図１、図２、図５、および図６に示すように、本発明の実施形態によるレセプタクルコネクタ１００は、接続される２つの回路基板（図示せず）の一方に取り付けられるように使用される。レセプタクルコネクタ１００は、ハウジング２と、ハウジングに取り付けられた１つまたは２つの端子とを備える。端子１は、電力信号を伝送するための電力端子として使用される。
【００３６】
容易に理解できるようにするため、図１に示すようなレセプタクルコネクタ１００の配置状態に基づき、レセプタクルコネクタの長さ、幅、および高さ（または厚さ）が延びる方向を縦方向、横方向、および上下方向と呼ぶ。また、レセプタクルコネクタの中央近くの各部分の側を内側、その中央から離れた側を外側と呼ぶ。
【００３７】
実施形態において、ハウジング２はプラスチック材料等の絶縁材料から形成され、略矩形の底部２１と、底部の周囲から上方に延びることによって形成されるループフレームとを備える。図３および図４に示すように、ループフレームは、プラグコネクタ２００（以下で詳細に説明する）を受容するための受容部２５を画定する。
【００３８】
実施形態によれば、図１、図５、図１０、および図１２に示すように、各端子１が１つの金属片から、例えば、剪断、打抜き、曲げプロセスによって形成される。端子１は、下向き（すなわちハウジング２の底部２１を向いた）開口部を有する第１のＵ字形部分１１１と、２つの伸長アーム１２とを備える。第１のＵ字形部分１１１は、横方向に延びるベース１１と、ベース１１に対向する第１の横アーム１１２とを備える。第１のＵ字形部分１１１は、ループフレームの横フレーム２２を覆う。すなわち、横フレーム２２が第１のＵ字形部分１１１に受容される。２つの伸長アーム１２は、ベース１１の横方向両端部で第１の横アーム１１２に向けてほぼ垂直に曲がることによって形成される。
【００３９】
さらなる実施形態では、下向き開口部を有する第２のＵ字形部分１２１が、各伸長アーム１２の上側で曲がることによって形成され、ループフレームの縦フレーム２３を覆い、すなわち、縦フレーム２３の一部が第２のＵ字形部分１２１に受けられる。２つの第１の縦アーム１２２の対向する側の各々に、第１のコンタクト部分１２２１が形成される。２つの第１の縦アーム１２２は、第２のＵ字形部分１２１の伸長アーム１２内側に位置する。
【００４０】
図１０および図１２に示すように、端子１は、第３のＵ字形部分１３をさらに備える。第３のＵ字形部分１３は、第１のＵ字形部分１１１の内側で第１の横アーム１１２を外方に曲げることによって形成され、上向き開口部を有する。言い換えると、第１の横アーム１１２は第１のＵ字形部分１１１および第３のＵ字形部分１３に共通であり、第１のＵ字形部分１１１の上向き開口部は、第３のＵ字形部分１３の下向き開口部と反対である。
【００４１】
さらに、第３のＵ字形部分１３は、第１の横アーム１１２と、第１の横アーム１１２の内側に位置決めされた第２の横アーム１３１とを備える。第２のコンタクト部分１３１１が、第１の横アーム１１２および第２の横アーム１３１の２つの対向する側の各々に形成される。
【００４２】
実施形態において、第２の横アーム１３１の自由端が、第２の横アーム１３１から外方に延びる舌部１３２として形成される。図１および図５を参照すると、レセプタクルコネクタ１００はハウジング２の底部２１の中央に配置されたボス２４をさらに備える。ボス２４の周囲とループフレームの内側との間には間隙が形成される。制限溝２４１がボス２４の縦方向両端部の各々に形成され、舌部１３２が制限溝２４１内に摺動可能に配置されて、舌部１３２が外方に移動する最大距離が制限されるようになっている。
【００４３】
レセプタクルコネクタ１００のさらなる実施形態において、図１、図５、および図１２を参照すると、ベース１１の第１のＵ字形部分１１１の各端部と各伸長アーム１２との間で曲がって下方に延びることによって係合部１４が形成される。この係合部１４を受けるための係合溝２２１が、横フレーム２２に形成される。少なくとも１つの突起１４１が係合部１４に形成される。これにより、図５に示すように端子１がハウジング２の上部からハウジング２内に取り付けられたときに、第１のＵ字形部分１１１が横フレーム２２を覆い、係合部１４が係合溝２２１に挿入される。係合部１４の突起１４１は、係合溝２２１の内壁で表面を弾性変形させることができ、端子１がハウジング２上に比較的しっかりと保持されるようになっている。
【００４４】
本発明によるレセプタクルコネクタ１００のさらなる実施形態において、図１、図２、および図５を参照すると、複数の制限フック２３１がループフレームの縦フレーム２３の外側に形成される。各伸長アーム１２の一部が縦フレーム２３の外側で制限フック２３１内に延びるように配置されて、伸長アーム１２が外方にずれることを防止する。その結果、伸長アーム１２が縦フレーム２３の外側にしっかりと載置されるようになっている。
【００４５】
図２および図６に示すように、ベース１１および２つの伸長アーム１２の下側は、底部の下面からせり出して、回路基板（図示せず）に溶接するための溶接部分１２３を形成するように構築される。加えて、大きい電流を伝送するために、第１の横アームと反対のベース１１の下側は外方に曲げられて平面コンタクト部分１１３を形成する。このように、伸長アームの溶接部分１２３を回路基板の平面コンタクト部分に溶接できるだけでなく、回路基板に形成されたスロットに挿入することもできる。また、平面コンタクト部分１１３を、回路基板の平面コンタクト部分に電気的に接続することができる。本発明において、伸長アームの２つの溶接部分１２３および平面コンタクト部分１１３は３つの出力境界面を形成し、この出力境界面を通して電流を回路基板に伝送することができる。このため、より大きい電流、例えば、最大約１５Ａの電流を伝送することができ、これにより、基板対基板コネクタによる伝送電流容量が増加する。
【００４６】
図３、図４、図７〜図９、図１１、および図１３〜図１５を参照して、本発明によるレセプタクルコネクタに嵌合するプラグコネクタ２００およびその相手側端子４について以下で説明する。
【００４７】
プラグコネクタ２００は、相手側ハウジング５と、相手側ハウジング５に取り付けられた１つまたは２つの相手側端子４とを備える。相手側端子４は、電力信号を伝送するための電力端子として使用される。
【００４８】
実施形態において、相手側ハウジング５はプラスチック材料等の絶縁材料から形成され、略矩形の相手側底部５１と、相手側底部の周囲から延びることによって形成される相手側ループフレームとを備える。相手側ループフレームは、２つの相手側横フレーム５２と２つの相手側縦フレーム５３とを備える。相手側ループフレームは、レセプタクルコネクタ１００（図１に示す）のボス２４を受容するための相手側受容部５５を画定する。
【００４９】
実施形態によれば、図９および図１０に示すように、各相手側端子４が１つの金属片から、例えば、剪断、打抜き、曲げプロセスによって形成される。相手側端子４は、相手側ループフレームの１つの相手側横フレーム５２を覆うための第４のＵ字形部分４０を備える。さらに、相手側端子４は、相手側ベース４１と、相手側ベース４１の２つの側にそれぞれ接続された第１の相手側横アーム４２および第２の相手側横アーム４３とを備える。プラグコネクタ２００の相手側横フレーム５２は、第４のＵ字形部分４０に受容される。第１の相手側横アーム４２および第２の相手側横アーム４３は、相手側ベース４１の横方向両側でほぼ垂直に曲がることによって形成される。
【００５０】
図１〜図８および図１３〜図１５を参照すると、プラグコネクタ２００がレセプタクルコネクタ１００に結合されると、プラグコネクタ２００がレセプタクルコネクタ１００の受容部２５に挿入される。より詳細には、プラグコネクタ２００の相手側横フレーム５２が、レセプタクルコネクタ１００のボス２４の周囲とループフレームの内側との間の間隙に受容される。横フレーム２２の内側に位置する第１のＵ字形部分１１１における第１の横アーム１１２が、相手側横フレーム５２の外側に位置する第４のＵ字形部分４０における第１の相手側横アーム４２に電気的に接触し続けることにより、第１の電気コンタクト部分が形成される。
【００５１】
さらなる実施形態では、図１０および図１２に示すように、レセプタクルコネクタ１００の各伸長アーム１２が、下向き開口部を有する第２のＵ字形部分１２１を備え、第２のＵ字形部分１２１はループフレームの縦フレーム２３を覆う。他方、相手側端子４は、相手側ループフレームの相手側縦フレーム５３の外側に載置されるように構築された２つの相手側伸長アーム４４をさらに備える。プラグコネクタ２００がレセプタクルコネクタ１００に結合されると、２つの相手側伸長アーム４４が、伸長アーム１２の内側にそれぞれ位置する２つの第１の縦アーム１２２に電気的に接触する。これにより、第２の電気コンタクト部分が形成される。
【００５２】
さらなる実施形態では、端子１は、第３のＵ字形部分１３をさらに備える。この第３のＵ字形部分１３は、第１のＵ字形部分１１１の内側に位置する第１の横アーム１１２を外方に曲げることによって形成され、上向き開口部を有する。第３のＵ字形部分１３の開口部は、第１のＵ字形部分および第２のＵ字形部分の開口部と反対である。プラグコネクタ２００がレセプタクルコネクタ１００に結合されると、相手側端子４の第４のＵ字形部分４０が第３のＵ字形部分１３に受容される。また、相手側横フレーム５２の内側に位置する第４のＵ字形部分４０における第２の相手側横アーム４３は、第３のＵ字形部分１３の第２の横アーム１３１に電気的に接触する。これにより、第３の電気コンタクト部分が形成される。
【００５３】
さらに、図３、図７、および図１１に示すように、２つの保持スロット５４が相手側横フレーム５２の内側に設けられ、２つの保持突起４３１が相手側端子４の第２の相手側横アーム４３の両側に形成される。保持突起４３１は保持スロット５４にそれぞれ挿入され、これにより、保持スロット５４の内壁が弾性変形して、相手側端子４が相手側ハウジング５にしっかりと保持されるようになっている。
【００５４】
加えて、相手側端子４では、第１の相手側横アーム４２の自由端が外方に曲げられて第１の保持部分４２１を形成する。また、各相手側伸長アーム４４の自由端が外方に曲げられて第２の保持部分４４１を形成する。図１３および図１４に示すように、相手側端子４が端子１に取り付けられると、第１の保持部分４２１および第２の保持部分４４１は、端子１の第１のＵ字形部分および第２のＵ字形部分のそれぞれのベースに載置され、相手側端子４と端子１との間に３点機械コンタクトが形成されて、これらの間の取付位置の安定性を確保するようになっている。機械コンタクト部分はまた、電気コンタクト部分を形成することができ、一方、第１の電気コンタクト部分、第２の電気コンタクト部分、および第３の電気コンタクト部分が端子１と相手側端子４との間に形成され、すなわち、４つの電気コンタクト部分が形成される。これにより、相手側端子４から端子１への電流伝送容量が増加し、例えば、１５Ａ（アンペア）を超える大きい電流を伝送することができる。さらに、第１の保持部分４２１および第２の保持部分４４１を溶接部分として使用することもでき、溶接部分を通して相手側端子が相手側回路基板（図示せず）に接続される。
【００５５】
図１、図２、図５、および図６を参照すると、レセプタクルコネクタ１００は、ループフレームの縦フレーム２３に取り付けられた、データ信号を伝送するための複数のデータ端子６をさらに備える。複数の弾性片６１がボス２４の少なくとも１つの側に取り付けられる。弾性片６１は、データ端子６に電気接続するように設定されていても設定されていなくてもよい。
【００５６】
これに対応して、図３、図４、図７、および図８に示すように、プラグコネクタ２００は、相手側縦フレーム５３に取り付けられた複数の相手側データ端子７を備える。プラグコネクタ２００がレセプタクルコネクタ１００に係合されると、プラグコネクタ１００のボス２４がプラグコネクタの相手側受容部５５に受容される。また、プラグコネクタ２００のループフレームが、レセプタクルコネクタ１００のボス２４、横フレーム２２、および縦フレーム２３の間に配置される。一方、レセプタクルコネクタの端子１およびデータ端子６は、プラグコネクタの相手側端子４および相手側データ端子７にそれぞれ電気的に接続されて、レセプタクルコネクタ１００に取り付けられた回路基板とプラグコネクタ２００に取り付けられた相手側回路基板との間の基板対基板電気接続が達成されるようになっている。
【００５７】
本発明の実施形態において、端子１および相手側端子４は、銅等の１つの導電性金属片から、例えば、剪断、打抜き、曲げプロセスによって形成されてもよい。
【００５８】
本発明の別の実施形態によれば、端子１が設けられる。端子１はレセプタクルコネクタ１００のハウジング２内に取り付けられ、端子１は金属片から形成され、下向き開口部を有する第１のＵ字形部分１１１と、２つの伸長アーム１２とを備える。第１のＵ字形部分１１１は、ベース１１と、ベース１１に対向する第１の横アーム１１２とを備える。２つの伸長アーム１１２は、ベース１１の横方向両端部で第１の横アーム１１２に向けてほぼ垂直に曲がることによって形成される。
【００５９】
さらに、端子１の実施形態において、下向き開口部を有する第２のＵ字形部分１２１が、各伸長アーム１２の上側で曲がることによって形成される。端子は第３のＵ字形部分１３をさらに備え、第３のＵ字形部分１３は、第１のＵ字形部分１１１の内側に位置する第１の横アーム１１２を外方に曲げることによって形成され、上向き開口部を有する。
【００６０】
本発明の上記した種々の実施形態による端子、レセプタクルコネクタ、および電気コネクタアセンブリは、レセプタクルコネクタの端子とプラグコネクタの相手側端子との間の優れた電気接続を維持することができる。さらに、本発明による端子は、より大きい電流を伝送することができ、したがって基板対基板コネクタによる電流伝送容量が増加する。
【００６１】
上記実施形態は例示的なものに過ぎず、当業者はこれらの実施形態を修正することができることを、当業者は理解すべきである。すなわち、種々の実施形態に記載された構造を、構造または原理間で矛盾のない場合に任意の方法で組み合わせることができる。したがって、本発明の技術的課題を解決することに基づいて、より多様な種類の端子、レセプタクルコネクタ、および電気コネクタアセンブリが提供される。
【００６２】
本発明の好ましい実施形態を詳細に説明した後では、開示の原理および趣旨から逸脱することなく、種々の変更または修正をこれらの実施形態に行うことができ、本発明はこれらの好ましい実施形態に限定されないことを当業者は理解するだろう。なお、用語「備える（ｃｏｍｐｒｉｓｉｎｇまたはｃｏｍｐｒｉｓｅ）」は、他の要素またはステップを排除しないものと理解すべきであり、単語「ａ」または「ａｎ」は複数の前記要素またはステップを排除しないものと理解すべきであることに留意されたい。加えて、特許請求の範囲の参照符号は、本発明を限定するものと理解すべきではない。
【符号の説明】
【００６３】
１  端子
２  ハウジング
４  相手側端子
５  相手側ハウジング
６  データ端子
１１  ベース
１２  伸長アーム
１３  第３のＵ字形部分
１４  係合部
２１  底部
２２  横フレーム
２３  縦フレーム
２４  ボス
２５  受容部
４０  第４のＵ字形部分
４１  相手側ベース
４２  第１の相手側横アーム
４３  第２の相手側横アーム
４４  相手側伸長アーム
５１  相手側底部
５２  相手側横フレーム
５３  相手側縦フレーム
５４  保持スロット
５５  相手側受容部
６１  弾性片
１００  レセプタクルコネクタ
１１１  第１のＵ字形部分
１１２  第１の横アーム
１１３  平面コンタクト部分
１２１  第２のＵ字形部分
１２２  第１の縦アーム
１２３  溶接部分
１３１  第２の横アーム
１３２  舌部
１４１  突起
２００  プラグコネクタ
２２１  係合溝
２３１  制限フック
２４１  制限溝
４２１  第１の保持部分
４３１  保持突起
４４１  第２の保持部分
１２２１  第１のコンタクト部分
１３１１  第２のコンタクト部分
【図１】
2015207557.tif 000003
【図２】
2015207557.tif 000004
【図３】
2015207557.tif 000005
【図４】
2015207557.tif 000006
【図５】
2015207557.tif 000007
【図６】
2015207557.tif 000008
【図７】
2015207557.tif 000009
【図８】
2015207557.tif 000010
【図９】
2015207557.tif 000011
【図１０】
2015207557.tif 000012
【図１１】
2015207557.tif 000013
【図１２】
2015207557.tif 000014
【図１３】
2015207557.tif 000015
【図１４】
2015207557.tif 000016
【図１５】
2015207557.tif 000017
【外国語明細書】
2015207557000001.pdf